(57)【要約】【課題】ノーマルクローズタイプの押釦スイッチで、構成が簡単で小型化が可能な押釦スイッチを提供する。【解決手段】可動接点４の外周縁部４ａを第１及び第２の固定接点２、３上に載置して第１及び第２の固定接点２、３間を導通させると共に、可動接点４の外周縁部４ａより内側で、且つ第１及び／又は第２の固定接点２、３の近傍のハウジング１の収納部１ａの内底面に絶縁性の突出部１ｂ、１ｃを形成し、可動接点４の膨出部が押圧され反転する際には、可動接点４の内面が突出部１ｂ、１ｃに当接して外周縁部４ａを第１及び／又は第２の固定接点２、３から離間させるようにした。【選択図】        図１
2004311128.tif 000002
【特許請求の範囲】
【請求項１】
収納部を有するハウジングと、前記収納部の内底面に配設された第１及び第２の固定接点と、該第１及び第２の固定接点上に配設され反転可能な膨出部を有する可動接点とを備え、前記可動接点の外周縁部を前記第１及び第２の固定接点上に載置して該第１及び第２の固定接点間を導通させると共に、前記可動接点の外周縁部より内側で、且つ前記第１及び／又は第２の固定接点の近傍の前記収納部の内底面に絶縁性の突出部を形成し、前記可動接点の膨出部が押圧され反転する際には、前記可動接点の内面が前記突出部に当接して前記外周縁部を前記第１及び／又は第２の固定接点から離間させるようにしたことを特徴とする押釦スイッチ。
【請求項２】
前記可動接点は、円形ドーム状に形成されると共に、前記突出部は、前記可動接点の円形ドーム状の内周に沿って延設された弧状の壁で形成したことを特徴とする請求項１記載の押釦スイッチ。
【請求項３】
前記可動接点は、円形ドーム状に形成されると共に、前記突出部は、前記可動接点の円形ドーム状の内周に沿って連続して設けられた環状の壁で形成したことを特徴とする請求項１記載の押釦スイッチ。
【請求項４】
前記ハウジングを絶縁材で形成すると共に、前記突出部を前記ハウジングと一体に形成したことを特徴とする請求項１記載の押釦スイッチ。
【請求項５】
前記収納部には、前記第１及び第２の固定接点の間に第３の固定接点を形成すると共に、前記突出部を前記第１又は第２の固定接点の内どちらか一方にのみ形成し、前記可動接点の膨出部が押圧され反転する際には、前記可動接点の膨出部の下面が前記第３の固定接点と当接して、前記突出部が形成されていない前記第１又は第２の固定接点の内どちらか一方と導通させるようにしたことを特徴とする請求項１記載の押釦スイッチ。
【発明の詳細な説明】
【０００１】
【発明の属する技術分野】
本発明は、押釦スイッチに係り、特に非動作時には常に接点間が導通状態となった所謂ノーマルクローズタイプの押釦スイッチの構造に関する。
【０００２】
【従来の技術】
従来のノーマルクローズタイプの押釦スイッチの構造としては、可動接点の反転時の作動力を大きく設定して、定常状態において固定接点に高荷重を負荷して接点間の電気的接触を確実にするために、反転可能な薄板状の可動接点の下面に、押釦を初期位置へ復帰させるための薄板状の復帰ばねを組み合わせた構成のものが知られている。これにより、可動接点による固定接点間の導通、離接を確実且つ安定して行うことができる（例えば、特許文献１）。
【０００３】
この従来の押釦スイッチの構造を図１２に示す。スイッチケース１は、内部に空所１０が形成され、この下部には接点収納部１４を有し、一対の固定接点形成部１３が対向して設けられ一方、一対の復帰ばね載置部１５が対向して形成されている。固定接点形成部１３の一方には固定接点３３が露出形成されており、その中心部には突起１６が形成されている。固定接点形成部１３の他方には固定接点３４が露出形成されている。３１は固定接点３３に接続する端子であり、３２は固定接点３４に接続する端子である。
【０００４】
薄板状復帰ばね６は、りん青銅などのばね性を有する金属板を長方形に打ち抜き形成されており、上方に僅かに湾曲して形成されている。この薄板状復帰ばね６は上側からの押圧力により変形平坦化して、押圧力を解放すると元の形状に復帰する動作を行う。即ち常に上向きの付勢力を発生している。
【０００５】
薄板状可動接点４は、同様に、りん青銅等のばね性を有する金属板を長方形に打ち抜き形成されており、長手方向に平行に２本のスリット４１が形成され、左右両辺に縁辺部４３が形成されると共に、縁辺部４３間に反転ばね部４４を形成している。長方形の短い辺の一方を可動接点４の接触部４２とし、短い辺の他方を支点片４６としている。支点辺４６の中央には突起１６に係合する開孔４７が設けられている。そして、縁辺部４３の双方に長手方向と直交する方向に下向き湾曲部４５を形成し、反転ばね部４４が僅かに上向きに変形させた状態となっている。
【０００６】
薄板状可動接点４は、反転ばね部４４に押圧力が加わると、下側に反転して接触部４２が上側に跳ね上がりこの状態を維持する。そして、この状態から、反転した反転ばね部４４に下側から押圧力が加わると、反転ばね部４４は上側に反転変形して復帰するものとなる。薄板状可動接点４の中央部には上側から押圧力が加えられた時に復帰ばね６を押圧するための下側に突出する突部を有する凹部４８が形成されている。
【０００７】
上記構成の押釦スイッチは、定常状態では接触部４２は上向きの弾性力の逆向きの力により固定接点３４に圧接して、固定接点３３及び固定接点３４は導通状態（ノーマルクローズ状態）にある。ここで、図示しない押釦が押圧されると、薄板状可動接点４の反転ばね部４４が下側に押され、下側に反転変形する。この状態において、薄板状可動接点４の自由端である接触部４２は跳ね上がり、固定接点３４との間の接触が解放される。
【０００８】
この時、反転変形した反転ばね部４４は、押圧状態では常に上向きに付勢している薄板状復帰ばね６がその下側に存在して上向きに押圧されており、押釦の押圧力を解除すると、反転ばね部４４は上側に反転変形して復帰する。これにより薄板状可動接点４の接触部４２は跳ね上がり、接触部４２と固定接点３４との間は再び接触し導通状態に復帰するものとなる。
【０００９】
【特許文献１】
特開平１０−１０６３８６号公報
【００１０】
【発明が解決しようとする課題】
しかしながら、上述した従来の押釦スイッチの構造においては、反転ばねである薄板状可動接点の形状が複雑で、また復帰用の薄板状復帰ばねと合わせて２枚のばね部材が必要となるため、構成が簡易化できず組立が煩雑となるうえ、小型化ができないという問題があった。
【００１１】
したがって、本発明では上述した問題点を解決し、ノーマルクローズタイプの押釦スイッチで、構成が簡単で小型化が可能な押釦スイッチを提供することを目的とする。
【００１２】
【課題を解決するための手段】
上記課題を解決するために本発明では第１の手段として、収納部を有するハウジングと、前記収納部の内底面に配設された第１及び第２の固定接点と、該第１及び第２の固定接点上に配設され反転可能な膨出部を有する可動接点とを備え、前記可動接点の外周縁部を前記第１及び第２の固定接点上に載置して該第１及び第２の固定接点間を導通させると共に、前記可動接点の外周縁部より内側で、且つ前記第１及び／又は第２の固定接点の近傍の前記収納部の内底面に絶縁性の突出部を形成し、前記可動接点の膨出部が押圧され反転する際には、前記可動接点の内面が前記突出部に当接して前記外周縁部を前記第１及び／又は第２の固定接点から離間させるようにしたことを特徴とする。
【００１３】
また、第２の手段として、前記可動接点は、円形ドーム状に形成されると共に、前記突出部は、前記可動接点の円形ドーム状の内周に沿って延設された弧状の壁で形成したことを特徴とする。
【００１４】
また、第３の手段として、前記可動接点は、円形ドーム状に形成されると共に、前記突出部は、前記可動接点の円形ドーム状の内周に沿って連続して設けられた環状の壁で形成したことを特徴とする。
【００１５】
また、第４の手段として、前記ハウジングを絶縁材で形成すると共に、前記突出部を前記ハウジングと一体に形成したことを特徴とする。
【００１６】
また、第５の手段として、前記収納部には、前記第１及び第２の固定接点の間に第３の固定接点を形成すると共に、前記突出部を前記第１又は第２の固定接点の内どちらか一方にのみ形成し、前記可動接点の膨出部が押圧され反転する際には、前記可動接点の膨出部の下面が前記第３の固定接点と当接して、前記突出部が形成されていない前記第１又は第２の固定接点の内どちらか一方と導通させるようにしたことを特徴とする。
【００１７】
【発明の実施の形態】
以下、本発明の実施の形態を図１乃至図１１に示す。図１は本発明の押釦スイッチの断面図、図２は図１の操作時の断面図、図３はハウジングの平面図、図４は本発明の変形例の押しボタンスイッチの断面図、図５は図４の操作時の断面図、図６はハウジングの平面図、図７は本発明の他の実施例の押釦スイッチの断面図、図８は図７の操作時の断面図、図９はハウジングの平面図、図１０は可動接点の斜視図、図１１は可動接点の断面図である。
【００１８】
図１乃至図３において、ハウジング１は、合成樹脂などの絶縁材で内部に収納部１ａを有する上面が開口された矩形状の箱型に形成されている。このハウジング１の収納部１ａの内低面には、導電性の金属材からなる第１及び第２の固定接点２、３が収納部１ａ内に表出して対向された状態で配設されている。この第１及び第２の固定接点２、３の表出部には、後述する可動接点４の外周縁部４ａが載置されて当接する突出状の接点部２ａ、３ａが設けられている。また、前記第１及び第２の固定接点２、３は、前記ハウジング１の内底部に屈曲されて埋設されており、その他端側が前記ハウジング１の側面部から外方に導出されて図示しない外部の回路基板の導電パターンと接続される接続端子２ｂ、３ｂが設けられている。
【００１９】
また、前記ハウジング１の収納部１ａには、前記第１及び第２の固定接点の近傍で、互いの第１及び第２の固定接点２、３間の位置に、前記ハウジング１と一体的に絶縁性の一対の突出部１ｂ、１ｃがそれぞれ形成されている。この突出部１ｂ、１ｃは、後述する円形ドーム状に形成された可動接点４の内周に沿って延設された弧状の壁で形成されており、この突出部１ｂ、１ｃの高さ寸法は、後述する可動接点４のドーム状に膨出する内面の高さよりも若干低くなるように形成されている。また、前記突出部１ｂ、１ｃの弧状の壁の長さ寸法は、前記第１及び第２の固定接点２、３の表出部に突出して設けられた前記接点部２ａ、３ａの長さ寸法よりも若干長くなるように形成されている。
【００２０】
可動接点４は、りん青銅やステンレスなどの導電性の薄板状金属板からなり、中央に膨出部を有する円形のドーム状に形成されており、前記第１及び第２の固定接点２、３の接点部２ａ、３ａと当接する外周縁部４ａと、この外周縁部４ａから円錐状に立ちあがる外周部４ｂと、この外周部４ｂの中央に設けられたドーム状頂部を有する反転部４ｃとから形成されている。（図１０、図１１）
【００２１】
ステム５は、絶縁性の合成樹脂などからなり、鍔状の基部５ａと、この基部５ａの上部に突出した押圧部５ｂと、基部５ａの下方に突出した作動突部５ｃとから形成されている。前記ステム５は、前記ハウジング１の収納部１ａ内に収納されて、前記作動突部５ｃが前記可動接点４のドーム状の反転部４ｃの頂部を押圧することで可動接点４が反転してスイッチの切り換えが行われるものとなっている。
【００２２】
カバー６は、板状の金属板からなり、前記ハウジング１の収納部１ａの開口部を覆うように前記ハウジング１の上面側に取り付けられている。このカバー６の内天面に、前記ステム５の鍔状をした基部５ａの上面が当接することで前記ステム５が抜け止めされている。
【００２３】
次に、上記構成の押釦スイッチの動作を説明すると、図１に示す初期の状態では、前記可動接点４の外周縁部４ａが、前記第１及び第２の固定接点２、３の接点部２ａ、３ａと接触しており、それぞれの固定接点間が導通状態となり回路がオン状態となっている。
【００２４】
この状態から、図２に示すように前記ステム５が押圧されると、作動突部５ｃによって前記可動接点のドーム状の反転部４ｃの頂部が押圧され、前記可動接点４が反転する。この時、前記可動接点４のドーム状の反転部４ｃの内面が、前記収納部１ａに設けられた弧状の前記突出部１ｂ、１ｃに当接することとなり、前記可動接点４の外周縁部４ａは、前記突出部１ｂ、１ｃを支点として回動されることから、前記外周縁部４ａが前記第１及び第２の固定接点２、３の接点部２ａ、３ａから離間するものとなる。この結果、前記第１及び第２の固定接点２、３が非導通状態となり回路がオフとなる。
【００２５】
このように、上記実施例においては、前記可動接点４の外周縁部４ａを前記第１及び第２の固定接点２、３上に載置して、前記第１及び第２の固定接点２、３間を導通させると共に、前記可動接点４の外周縁部４ａより内側で、且つ前記第１及び第２の固定接点２、３の近傍の前記収納部１ａの内底面に絶縁性の前記突出部１ｂ、１ｃを形成し、前記可動接点４のドーム状の反転部４ｃが押圧され反転する際には、前記可動接点４の内面が前記突出部１ｂ、１ｃに当接して前記外周縁部４ａを前記第１及び第２の固定接点２、３から離間させるようにしているので、前記収納部１ａの内底面に絶縁性の前記突出部１ｂ、１ｃを設けるだけの簡単な構成でノーマルクローズタイプの押釦スイッチを構成できるものとなっている。
【００２６】
また、前記可動接点４は、円形ドーム状に形成されると共に、前記突出部１ｂ、１ｃは、前記可動接点４の円形ドーム状の内周に沿って延設された弧状の壁で形成しているので、前記可動接点４の組込み時の方向性が無くなり組立が容易となり、前記突出部１ｂ、１ｃにより確実に前記外周縁部４ａを離間させることができるものとなっている。
【００２７】
また、前記ハウジング１を絶縁材で形成すると共に、前記突出部１ｂ、１ｃを前記ハウジング１と一体に形成するようにしたので、部品点数を増やすことなく簡単な構成でノーマルクローズタイプを達成できるものとなっている。
【００２８】
尚、上記実施例では、前記ハウジング１に設けられた弧状の前記突出部１ｂ、１ｃは、前記第１及び第２の固定接点２、３の近傍にそれぞれ１個ずつ形成するように構成しているが、これとは別に、前記突出部１ｂ、１ｃを、前記可動接点４の円形ドーム状の反転部４ｃの内周に沿って連続した環状の壁で形成するようにしても良い。この場合には、環状の突出部が前記可動接点４の反転部４ｃの内面の全周に渡って当接されることになるので、前記可動接点４の円形ドーム状の反転部４ｃが押圧されて反転する際には、安定した反転動作が得られるものとなる。
【００２９】
図４乃至図６は、前記ハウジング１に設けられた一対の前記突出部１ｂ、１ｃのうち、一方側の前記第２の固定接点３の近傍に設けられた突出部１ｃを削除して、他方側の前記第１の固定接点２の近傍に設けられた突出部１ｂのみ形成するようにした変形例を示すものである。
【００３０】
この場合の動作としては、図４に示す初期の状態では、前記可動接点４の外周縁部４ａが、前記第１及び第２の固定接点２、３の接点部２ａ、３ａと接触しており、それぞれの固定接点間が導通状態となり回路がオン状態となっている。
【００３１】
この状態から、図５に示すように前記ステム５が押圧されると、作動突部５ｃによって前記可動接点のドーム状の反転部４ｃの頂部が押圧され、前記可動接点４が反転する。この時、前記可動接点４のドーム状の反転部４ｃの内面が、前記収納部１ａに設けられた弧状の前記突出部１ｂに当接することとなり、この突出部１ｂ側に位置する前記可動接点４の外周縁部４ａが、前記突出部１ｂを支点として上側に持ち上げられることから、前記外周縁部４ａの一端側が前記第１の固定接点２の接点部２ａから離間するものとなる。この結果、前記第１及び第２のの固定接点２、３が非導通状態となり回路がオフとなる。
【００３２】
尚、この場合、前記ハウジング１に形成する弧状の前記突出部１ｂは、前記第１の固定接点２の近傍に設けるのではなく、これとは反対側の前記第２の固定接点３の近傍に設けるようにしても良い。この場合にも、上記構成と同様の動作状態が得られるものとなる。上記した変形例の構成においても、上記の実施例と同様の効果が得られるものとなっている。
【００３３】
図７乃至図９は、本発明の他の実施例の構成を示し、この場合、上記実施例との相違点は、前記ハウジング１の収納部１ａの内底面の中央に、第３の固定接点が形成されている点である。即ち、本実施例においては、スイッチの回路構成が上記実施例の構成とは異なっており、スイッチの動作時に回路の切り換えが可能な２接点（双頭）タイプの構成となっている。尚、上記の実施例と同一な構成部品については同一符号を付して詳細な説明を省略する。
【００３４】
図において、ハウジング７の収納部７ａの内底面には、導電性の金属材からなる第１及び第２の固定接点８、９が収納部７ａ内に表出して対向された状態で配設されている。この第１及び第２の固定接点８、９の表出部には、可動接点４の外周縁部４ａが載置されて当接する突出状の接点部８ａ、９ａが設けられている。また、前記第１及び第２の固定接点８、９の中間位置には、同様に導電性の金属材からなる第３の固定接点１０が配設されている。この第３の固定接点１０の中央には、可動接点４のドーム状の反転部４ｃの頂部の内面が当接する突出状の接点部１０ａが設けられている。
【００３５】
また、前記第１、第２、及び第３の固定接点８、９、１０は、前記ハウジング７の内底部に屈曲されて埋設されており、その他端側が前記ハウジング７の側面部から外方に導出されて図示しない外部の回路基板の導電パターンと接続される接続端子８ｂ、９ｂ、１０ｂが設けられている。
【００３６】
また、前記ハウジング７の収納部７ａには、前記第１の固定接点８の近傍で、前記第１の固定接点８と第３の固定接点１０との間の位置に、前記ハウジング７と一体的に絶縁性の突出部７ｂが形成されている。この突出部７ｂは、円形ドーム状に形成された前記可動接点４の内周に沿って延設された弧状の壁で形成されており、この突出部７ｂの高さ寸法は、同じく前記可動接点４のドーム状に膨出する内面の高さよりも若干低くなるように形成されている。また、前記突出部７ｂの弧状の壁の長さ寸法は、前記第１の固定接点８の表出部に突出して設けられた前記接点部８ａの長さ寸法よりも若干長くなるように形成されている。
【００３７】
次に、上記構成の押釦スイッチの動作を説明すると、図７に示す初期の状態では、前記可動接点４の外周縁部４ａが、前記第１及び第２の固定接点８、９の接点部８ａ、９ａと接触しており、それぞれの固定接点間が導通状態となり回路がオン状態となっている。
【００３８】
この状態から、図８に示すように前記ステム５が押圧されると、作動突部５ｃによって前記可動接点４のドーム状の反転部４ｃの頂部が押圧され、前記可動接点４が反転する。この時、前記可動接点４のドーム状の反転部４ｃの内面が、前記収納部７ａに設けられた弧状の前記突出部７ｂに当接することとなり、前記可動接点４の外周縁部４ａは、前記突出部７ｂを支点として上側に持ち上げられることから、前記外周縁部４ａの一端側が前記第１の固定接点８の接点部８ａから離間するものとなる。この結果、前記第１及び第２のの固定接点８、９が非導通状態となる。
【００３９】
そして、この時、前記可動接点４が反転することにより、前記可動接点４のドーム状の反転部４ｃの頂部の内面が、前記第３の固定接点１０の突出状の接点部１０ａに当接することになり、前記第２の固定接点９と前記第３の固定接点１０とが前記可動接点４を介して導通状態となり、回路が切り変わるものとなる。
【００４０】
このように、上記した他の実施例によれば、前記ハウジング７の収納部７ａの、前記第１及び第２の固定接点８、９の間に、前記第３の固定接点１０を形成すると共に、前記突出部７ｂを第１の固定接点８の近傍に形成することで、前記可動接点４のドーム状の反転部４ｃが押圧され反転する際には、前記可動接点４の外周縁部４ａと前記第１の固定接点８の接点部８ａが離間すると共に、前記可動接点４の反転部４ｃの頂部の内面が前記第３の固定接点１０の接点部１０ａと当接して、前記第２の固定接点９と導通させるようにしたので、スイッチの動作時に回路の切り換えが可能な２接点（双頭）タイプの押釦スイッチが簡単に構成できるものとなっている。
【００４１】
【発明の効果】
以上説明したように、本発明の押釦スイッチは、収納部を有するハウジングと、収納部の内底面に配設された第１及び第２の固定接点と、第１及び第２の固定接点上に配設され反転可能な膨出部を有する可動接点とを備え、可動接点の外周縁部を第１及び第２の固定接点上に載置して第１及び第２の固定接点間を導通させると共に、可動接点の外周縁部より内側で、且つ第１及び／又は第２の固定接点の近傍の収納部の内底面に絶縁性の突出部を形成し、可動接点の膨出部が押圧され反転する際には、可動接点の内面が突出部に当接して外周縁部を第１及び／又は第２の固定接点から離間させるようにしたことから、収納部の内底面に絶縁性の突出部を設けるだけの簡単な構成でノーマルクローズタイプの押釦スイッチを構成できるので、スイッチの構成を簡単にでき、スイッチ全体を小型化することができる。
【００４２】
また、可動接点は、円形ドーム状に形成されると共に、突出部は、可動接点の円形ドーム状の内周に沿って延設された弧状の壁で形成したことから、可動接点の組込み時の方向性が無くなり組立が容易となり、弧状の壁により確実に外周縁部を離間させることができる。
【００４３】
また、可動接点は、円形ドーム状に形成されると共に、突出部は、可動接点の円形ドーム状の内周に沿って連続して設けられた環状の壁で形成したことから、環状の突出部が可動接点の内面の全周に渡って当接されるので、可動接点の膨出部が押圧され反転する際には安定した反転動作が得られる。
【００４４】
また、ハウジングを絶縁材で形成すると共に、突出部をハウジングと一体に形成したことから、部品点数を増やすことなく簡単な構成でノーマルクローズタイプを達成できるので、廉価対応が可能となる。
【００４５】
また、収納部には、第１及び第２の固定接点の間に第３の固定接点を形成すると共に、突出部を第１又は第２の固定接点の内どちらか一方にのみ形成し、可動接点の膨出部が押圧され反転する際には、可動接点の膨出部の下面が第３の固定接点と当接して、突出部が形成されていない第１又は第２の固定接点の内どちらか一方と導通させるようにしたことから、スイッチの動作時に回路の切り換えが可能な２接点（双頭）タイプの押釦スイッチが簡単に構成できる。
【図面の簡単な説明】
【図１】本発明の実施形態である押釦スイッチを示す断面図である。
【図２】本発明の図１の操作時の状態を示す断面図である。
【図３】本発明のハウジングを示す平面図である。
【図４】本発明の変形例に係る押しボタンスイッチを示す断面図である。
【図５】本発明の図４の操作時の状態を示す断面図である。
【図６】本発明のハウジングを示す平面図、
【図７】本発明の他の実施例に係る押釦スイッチを示す断面図である。
【図８】本発明の図７の操作時の状態を示す断面図である。
【図９】本発明のウジングを示す平面図である。
【図１０】本発明の可動接点を示す斜視図である。
【図１１】本発明の可動接点を示す断面図である。
【図１２】従来の押釦スイッチを示す分解斜視図である。
【符号の説明】
１  ハウジング
１ａ  収納部
１ｂ，１ｃ  突出部
２  第１の固定接点
２ａ  接点部
２ｂ  接続端子
３  第２の固定接点
３ａ  接点部
３ｂ  接続端子
４  可動接点
４ａ  外周縁部
４ｂ  外周部
４ｃ  反転部（膨出部）
５  ステム
５ａ  基部
５ｂ  押圧部
５ｃ  作動突部
６  カバー
７  ハウジング
７ａ  収納部
７ｂ  突出部
８  第１の固定接点
８ａ  接点部
８ｂ  接続端子
９  第２の固定端子
９ａ  接点部
９ｂ  接続端子
１０  第３の固定端子
１０ａ  接点部
１０ｂ  接続端子
【図１】
2004311128.tif 000003
【図２】
2004311128.tif 000004
【図３】
2004311128.tif 000005
【図４】
2004311128.tif 000006
【図５】
2004311128.tif 000007
【図６】
2004311128.tif 000008
【図７】
2004311128.tif 000009
【図８】
2004311128.tif 000010
【図９】
2004311128.tif 000011
【図１０】
2004311128.tif 000012
【図１１】
2004311128.tif 000013
【図１２】
2004311128.tif 000014